(57)【要約】【課題】記録装置の使用時における装置内部への塵埃の侵入を抑制する。【解決手段】媒体に記録を行う記録ヘッド１０を内部に備える装置本体２の上部８に設けられ、給送する媒体Ｐをセットするセット口７と、装置本体２の上部８においてセット口７を含む領域８ａを開閉する第１上面カバー３と、装置本体２の上部８において第１上面カバー３が開閉する領域８ａ以外の領域８ｂを開閉する第２上面カバー４と、を備え、第１上面カバー３は、セット口７にセットされる媒体の幅方向を第１の方向として、前記第１の方向における装置本体２の寸法より小さい寸法で形成され、第２上面カバー４は、閉じた状態で、平面視において閉じた状態の第１上面カバー３を内側に有し、第１上面カバー３および第２上面カバー４は、双方が閉じた状態で装置本体２の上部８の輪郭に対応する形状を成すことを特徴とするプリンター１。【選択図】図３
2018052073.tif 000002
【特許請求の範囲】
【請求項１】
媒体に記録を行う記録手段を内部に備える装置本体の上部に設けられた、給送する媒体をセットするセット口と、
前記装置本体の上部において前記セット口を含む領域を開閉する第１開閉体と、
前記装置本体の上部において前記第１開閉体が開閉する領域以外の領域を開閉する第２開閉体と、を備え、
前記第１開閉体は、前記セット口にセットされる媒体の幅方向を第１の方向として、前記第１の方向における前記装置本体の寸法より小さい寸法で形成され、
前記第２開閉体は、閉じた状態で、平面視において閉じた状態の前記第１開閉体を内側に有し、
前記第１開閉体および前記第２開閉体は、双方が閉じた状態で前記装置本体の上部の輪郭に対応する形状を成す、
ことを特徴とする記録装置。
【請求項２】
請求項１に記載の記録装置において、前記第１開閉体及び前記第２開閉体は、装置後方側に回動中心を有するとともに、同じ方向に開閉する、
ことを特徴とする記録装置。
【請求項３】
請求項２に記載の記録装置において、前記第１開閉体は前記第２開閉体と係合する係合部を有し、
前記第２開閉体を開くと、前記第１開閉体が開く、
ことを特徴とする記録装置。
【請求項４】
請求項３に記載の記録装置において、前記係合部は、装置高さ方向において少なくとも一部が前記第２開閉体とオーバーラップする、
ことを特徴とする記録装置。
【請求項５】
請求項３または請求項４に記載の記録装置において、前記第１開閉体は、前記第２開閉体が閉じた状態で独立して開閉可能に構成されている、
ことを特徴とする記録装置。
【請求項６】
請求項５に記載の記録装置において、前記第１開閉体は、開いた状態において傾斜姿勢をとるとともに前記セット口にセットされる媒体を支持する、
ことを特徴とする記録装置。
【請求項７】
請求項６に記載の記録装置において、前記第２開閉体は、前記第１の方向において前記第１開閉体の両側に腕部を有し、当該腕部を介して前記装置本体に対し回動可能に連結される、
ことを特徴とする記録装置。
【請求項８】
請求項１から請求項７のいずれか一項に記載の記録装置において、前記第１開閉体を開くことにより、操作入力を受け付ける操作部が前記セット口とともに現れる、
ことを特徴とする記録装置。
【請求項９】
請求項１から請求項８のいずれか一項に記載の記録装置において、前記装置本体は、前記第２開閉体を開くことにより、前記記録手段を備えるキャリッジの移動領域が現れる開口部を備える、
ことを特徴とする記録装置。
【請求項１０】
請求項９に記載の記録装置において、前記第２開閉体は、壁部を備え、前記壁部は、装置高さ方向において少なくとも一部が前記装置本体とオーバーラップする、
ことを特徴とする記録装置。
【発明の詳細な説明】
【技術分野】
【０００１】
本発明は、媒体に記録を行う記録装置に関するものである。
【背景技術】
【０００２】
プリンターに代表される記録装置において、小型、軽量で持ち運びが容易なモバイルタイプのものが存在する。そして、このような記録装置の中には、装置上面に媒体のセット口や操作ボタン類を配置した操作パネル等が設けられており、前記装置上面を開閉する開閉体を備え、前記開閉体が、開いた状態において前記セット口にセットされる媒体を支持するペーパーサポートとなり、閉じた状態において前記装置上面を覆うカバーとなる構成のものがある（例えば、特許文献１）。
【先行技術文献】
【特許文献】
【０００３】
【特許文献１】特開２０１５−２０２６１５号公報
【発明の概要】
【発明が解決しようとする課題】
【０００４】
ところで、モバイルタイプの記録装置は、室内だけでなく屋外で使用される場合も多い。屋外の環境は室内よりも埃や塵が多いことに加え、風に曝される場合もあるため、塵埃が装置内部に入り込み易く、これによって装置に不具合が起こる虞がある。
【０００５】
特許文献１のような装置上面を開閉する前記開閉体を備える記録装置では、非使用時には、前記開閉体が前記セット口を含む装置上面全体を覆うカバーとなるので塵埃の侵入が抑制されるが、使用時（記録時）には、前記装置上面全体が開放されるため、装置内部への塵埃の侵入の虞が高くなる。
【０００６】
このような状況に鑑み、本発明の目的は、記録装置の使用時における装置内部への塵埃の侵入を抑制することにある。
【課題を解決するための手段】
【０００７】
上記課題を解決するため、本発明の第１の態様に係る記録装置は、媒体に記録を行う記録手段を内部に備える装置本体の上部に設けられた、給送する媒体をセットするセット口と、前記装置本体の上部において前記セット口を含む領域を開閉する第１開閉体と、前記装置本体の上部において前記第１開閉体が開閉する領域以外の領域を開閉する第２開閉体と、を備え、前記第１開閉体は、前記セット口にセットされる媒体の幅方向を第１の方向として、前記第１の方向における前記装置本体の寸法より小さい寸法で形成され、前記第２開閉体は、閉じた状態で、平面視において閉じた状態の前記第１開閉体を内側に有し、前記第１開閉体および前記第２開閉体は、双方が閉じた状態で前記装置本体の上部の輪郭に対応する形状を成す、ことを特徴とする。
【０００８】
本態様によれば、前記装置本体の上部において前記セット口を含む領域を開閉する第１開閉体と、前記装置本体の上部において前記第１開閉体が開閉する領域以外の領域を開閉する第２開閉体とを備え、前記第１開閉体および前記第２開閉体は、双方が閉じた状態で前記装置本体の上部の輪郭に対応する形状を成すので、記録装置の非使用時には、前記第１開閉体および前記第２開閉体を閉じて前記装置本体の上部を覆うことができるとともに、記録装置の使用時（記録を行う際）には、前記第１開閉体を開くことにより、前記装置本体の上部のうち前記セット口を含む領域を露呈させることができる。すなわち、記録装置の使用時に、前記装置本体の上部の全面ではなく一部のみを露呈させるので、当該使用時における装置内部への塵埃等の侵入を抑制することができる。
【０００９】
本発明の第２の態様に係る記録装置は、第１の態様において、前記第１開閉体及び前記第２開閉体は、装置後方側に回動中心を有するとともに、同じ方向に開閉する、ことを特徴とする。
【００１０】
本態様によれば、前記第１開閉体及び前記第２開閉体は、装置後方側に回動中心を有するとともに、同じ方向に開閉するので、省スペースで前記第１開閉体及び前記第２開閉体の両方を開いた状態にすることができる。
【００１１】
本発明の第３の態様に係る記録装置は、第２の態様において、前記第１開閉体は前記第２開閉体と係合する係合部を有し、前記第２開閉体を開くと、前記第１開閉体が開く、ことを特徴とする。
【００１２】
本態様によれば、前記第２開閉体の開閉に連動して前記第１開閉体を開閉することができる。
【００１３】
本発明の第４の態様に係る記録装置は、第３の態様において、前記係合部は、装置高さ方向において少なくとも一部が前記第２開閉体とオーバーラップする、ことを特徴とする。
【００１４】
本態様によれば、前記第１開閉体の前記係合部は、装置高さ方向において少なくとも一部が前記第２開閉体とオーバーラップするので、前記係合部からの塵埃や液滴の侵入を抑制することができる。
【００１５】
本発明の第５の態様に係る記録装置は、第３の態様または第４の態様において、前記第１開閉体は、前記第２開閉体が閉じた状態で独立して開閉可能に構成されている、ことを特徴とする。
【００１６】
本態様によれば、前記装置本体の上部において前記セット口を含む領域を開閉する第１開閉体が、前記第２開閉体が閉じた状態で独立して開閉可能に構成されているので、前記セット口を使用する際、すなわち、記録装置の使用時に、前記第１開閉体のみを開くことができるので、当該使用時における装置内部への塵埃等の侵入を抑制することができる。
【００１７】
本発明の第６の態様に係る記録装置は、第５の態様において、前記第１開閉体は、開いた状態において傾斜姿勢をとるとともに前記セット口にセットされる媒体を支持する、ことを特徴とする。
【００１８】
本態様によれば、前記第１開閉体を開くことによって前記セット口にセットされる媒体を支持することができる。
【００１９】
本発明の第７の態様に係る記録装置は、第６の態様において、前記第２開閉体は、前記第１の方向において前記第１開閉体の両側に腕部を有し、当該腕部を介して前記装置本体に対し回動可能に連結される、ことを特徴とする。
【００２０】
本態様によれば、構成簡単且つ見栄えの良く、第６の態様の構成を実現できる。
【００２１】
本発明の第８の態様に係る記録装置は、第１の態様から第７の態様のいずれか一つにおいて、前記第１開閉体を開くことにより、操作入力を受け付ける操作部が前記セット口とともに現れる、ことを特徴とする。
【００２２】
本態様によれば、前記第１開閉体を開くことにより、操作入力を受け付ける操作部が前記セット口とともに現れるので、前記第１開閉体を開いて記録装置を使用する（記録を行う）際に、前記第２開閉体を開くことなく記録装置への操作入力を行うことができる。
【００２３】
本発明の第９の態様に係る記録装置は、第１の態様から第８の態様のいずれか一つにおいて、前記装置本体は、前記第２開閉体を開くことにより、前記記録手段を備えるキャリッジの移動領域が現れる開口部を備える、ことを特徴とする。
【００２４】
従来のように、一つの開閉体によって前記セット口を含む装置本体の上部の全体を開閉する構成では、当該装置本体の上部において、前記記録手段を備えるキャリッジの移動領域を開放する開口部が開閉カバー（前述した特許文献１における開閉カバー９）によって覆われていた。前記キャリッジの移動領域は、例えばキャリッジに搭載されるインクタンクの交換等のメンテナンスを行う際に開放される。  
本発明においては、記録装置の使用時には前記第２開閉体は開かれないので、前記第２開閉体を開くことにより、前記記録手段を備えるキャリッジの移動領域が現れるようにする、言い換えると、前記キャリッジの移動領域が現れるように開放する開口を当該第２開閉体によって開閉するように構成する。このことにより、部品点数の削減を図ることができる。
【００２５】
本発明の第１０の態様に係る記録装置は、第９の態様において、前記第２開閉体は、壁部を備え、前記壁部は、装置高さ方向において少なくとも一部が前記装置本体とオーバーラップする、ことを特徴とする。
【００２６】
本態様によれば、記録装置の装置内部への塵埃或いは液滴等の侵入を一層効果的に抑制することができる。
【図面の簡単な説明】
【００２７】
【図１】本発明に係るプリンターの一例を示す外観斜視図。
【図２】本発明に係るプリンターにおいて、第１上面カバー、第２上面カバー及び排紙カバーを開いた状態を示す斜視図。
【図３】本発明に係るプリンターにおいて、第１上面カバー及び排紙カバーを開き、パネルユニットを引き起こした状態を示す斜視図。
【図４】本発明に係るプリンターの用紙搬送経路を示す側断面図。
【図５】本発明に係るプリンターにおいて、第１上面カバー、第２上面カバー及び排紙カバーを開いた状態を示す平面図。
【図６】図２に示すプリンターを別角度から見た斜視図。
【図７】本発明に係るプリンターにおいて、装置前面側から見て右側の拡大斜視図。
【図８】本発明に係るプリンターにおいて、装置前面側から見て左側の拡大斜視図。
【図９】本発明に係るプリンターにおいて、ハンドルを図１に示すハンドルの位置から装置前面側に回動させた状態を示す斜視図。
【図１０】本発明に係るプリンターにおいて、ハンドルを図９に示す位置から更に装置前面側に回動させた状態を示す斜視図。
【図１１】ハンドルを示す斜視図。
【図１２】本発明に係るプリンターにおいて、装置前面側から見て右側のハンドル取付部を示す図。
【図１３】本発明に係るプリンターにおいて、装置前面側から見て左側のハンドル取付部を示す図。
【図１４】図１のＡ−Ａ断面図の要部拡大図であり、第１上面カバーを第２上面カバーに対してロックする第１のロック手段について説明する図。
【図１５】図１のＢ−Ｂ断面図の要部拡大図であり、第２上面カバーを装置本体に対してロックする第２のロック手段について説明する図。
【発明を実施するための形態】
【００２８】
［実施例１］
まず、本発明の一実施例に係る記録装置の概略について説明する。本実施例において、記録装置の一例としてインクジェット式プリンター１（以下、単にプリンター１と称する）を例に挙げる。  
図１は、本発明に係るプリンターの一例を示す外観斜視図である。図２は、本発明に係るプリンターにおいて、第１上面カバー、第２上面カバー及び排紙カバーを開いた状態を示す斜視図である。図３は、本発明に係るプリンターにおいて、第１上面カバー及び排紙カバーを開き、パネルユニットを引き起こした状態を示す斜視図である。図４は、本発明に係るプリンターの用紙搬送経路を示す側断面図である。図５は、本発明に係るプリンターにおいて、第１上面カバー、第２上面カバー及び排紙カバーを開いた状態を示す平面図である。図６は、図２に示すプリンターを別角度から見た斜視図である。
【００２９】
図７は、本発明に係るプリンターにおいて、装置前面側から見て右側の拡大斜視図である。図８は、本発明に係るプリンターにおいて、装置前面側から見て左側の拡大斜視図である。図９は、本発明に係るプリンターにおいて、ハンドルを図１に示すハンドルの位置から装置前面側に回動させた状態を示す斜視図である。図１０は、本発明に係るプリンターにおいて、ハンドルを図９に示す位置から更に装置前面側に回動させた状態を示す斜視図である。図１１は、ハンドルを示す斜視図である。図１２は、本発明に係るプリンターにおいて、装置前面側から見て右側のハンドル取付部を示す図である。図１３は、本発明に係るプリンターにおいて、装置前面側から見て左側のハンドル取付部を示す図である。図１４は、図１のＡ−Ａ断面図の要部拡大図であり、第１上面カバーを第２上面カバーに対してロックする第１のロック手段について説明する図である。図１５は、図１のＢ−Ｂ断面図の要部拡大図であり、第２上面カバーを装置本体に対してロックする第２のロック手段について説明する図である。
【００３０】
尚、各図において示すＸ−Ｙ−Ｚ座標系は、Ｘ方向が記録ヘッドの移動方向であるとともに、装置幅方向である。また、Ｙ方向が記録装置の奥行き方向、Ｚ方向が装置高さ方向を示している。尚、各図において＋Ｙ方向を装置前面側或いは前方側とし、−Ｙ方向側を装置背面側或いは後方側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００３１】
＜プリンターの全体構成について＞
以下、図１〜図５を参照しつつ、プリンター１の全体構成について概説する。  
プリンター１（図１）は、後述する「記録手段」としての記録ヘッド１０（図４）を内部に備える装置本体２と、装置本体２の上部８（図２）を開閉する「第１開閉体」としての第１上面カバー３及び「第２開閉体」としての第２上面カバー４と、装置本体２の前面（＋Ｙ方向側の側面）側に開閉する排紙カバー５と、装置本体２に対して回動可能に設けられるハンドル６とによって、その外観が構成されている。  
装置本体２、第１上面カバー３、第２上面カバー４、排紙カバー５及びハンドル６は、それぞれ、プラスチック等の樹脂材料により形成することができる。樹脂材料の種類はそれぞれの部材に応じて変えることができる。また、一部に他の材料（金属材料等）を用いることもできる。
【００３２】
装置本体２の上部８は、「媒体」としての用紙を挿入してセットするセット口７を備えている（図２を参照）。第１上面カバー３は、装置本体２の上部８において、セット口７を含む領域８ａ（図５の点線の内側の領域）を開閉するカバーであり、図３及び図４に示すように、開いた状態において傾斜姿勢をとり、セット口７にセットされる用紙を支持面３ｂで支持するように構成されている。  
また、本実施例において、装置本体２の上部８の領域８ａには、プリンター１における操作入力を受け付ける「操作部」として、メニューやエラー等の各種情報を表示する液晶ディスプレイ９ａや操作ボタン９ｂを配置したパネルユニット９が設けられている。パネルユニット９は、少なくとも第１上面カバー３を開いた状態において、プリンター１の前面側に液晶ディスプレイ９ａが引き起こされるようにチルト可能に構成されている（図３）。
【００３３】
また、第２上面カバー４は、装置本体２の上部８において、第１上面カバー３が開閉する領域８ａ（図５の点線の内側の領域）以外の領域８ｂ（図５の点線の外側の領域）を開閉する様に構成されている。  
尚、第１上面カバー３及び第２上面カバー４の詳細な構成については、後で更に説明する。
【００３４】
＜プリンターの用紙搬送経路について＞  
続いて、図４を参照しつつプリンター１における用紙搬送経路について説明する。図４において符号Ｐで示す点線は、用紙搬送経路を示している。プリンター１において、用紙は図４の＋Ｙ方向へ搬送される構成である。尚、以下において、プリンター１における用紙搬送方向側（＋Ｙ方向側）を「下流」といい、これと反対の方向側（−Ｙ方向側）を「上流」という。
【００３５】
装置本体２の内部には、用紙にインクを吐出して記録を行う記録ヘッド１０（記録手段）を備えたキャリッジ１１が、用紙搬送方向（＋Ｙ方向）と交差する方向（Ｘ軸方向）に往復動するように設けられている。記録ヘッド１０の底面には、記録ヘッド１０の下方側を搬送される用紙に対してインクを吐出する複数のノズル（不図示）からなるノズル列が設けられており、キャリッジ１１に搭載される液体収納体１２からノズルを介してインクが供給される。
【００３６】
セット口７にセットされた用紙は、給紙ローラー１４により下流に向けて給送される。  
給紙ローラー１４により送られる用紙は、搬送駆動ローラー１５ａと搬送従動ローラー１５ｂを備えた搬送ローラー対１５によって挟持された状態で、記録ヘッド１０の下方の記録領域に搬送される。  
記録ヘッド１０と対向する側（図４における下方側）には、記録ヘッド１０の液体吐出面である底面と用紙との間の用紙ギャップを規定する支持部材１６が設けられている。記録ヘッド１０と支持部材１６との間において、用紙に記録ヘッド１０からインクを吐出することによって記録が実行される。
【００３７】
記録ヘッド１０の下流側には、排出駆動ローラー１７ａと排出従動ローラー１７ｂとを備える排出ローラー対１７が設けられている。  
支持部材１６上を搬送された記録後の用紙は、排出ローラー対１７によって下流側に送られて排出部１８から排出され、開状態の排紙カバー５上に載置される。  
以上がプリンター１の内部構造と用紙搬送経路の概略である。
【００３８】
＜第１上面カバー及び第２上面カバーについて＞
次に、第１上面カバー３及び第２上面カバー４の構成について詳述する。  
前述したように、第１上面カバー３は、装置本体２の上部８においてセット口７を含む領域８ａ（図５）を開閉し、第２上面カバー４は、同じく装置本体２の上部８において、第１上面カバー３が開閉する領域８ａ以外の領域８ｂを開閉するカバーである。  
そして、第１上面カバー３は、セット口７にセットされる用紙の幅方向、すなわち、Ｘ軸方向を第１の方向として、前記第１の方向における装置本体２の寸法より小さい寸法で形成され、第２上面カバー４は、図１のように閉じた状態で、平面視において閉じた状態の第１上面カバー３を内側に有している。  
更に、第１上面カバー３および第２上面カバー４は、双方が閉じた状態（図１）で装置本体２の上部８の輪郭に対応する形状を成している。言い換えると、第１上面カバー３および第２上面カバー４の双方が閉じた状態で、装置本体２の上部８の全体が覆われるようになっている。
【００３９】
第１上面カバー３及び第２上面カバー４は、装置後方側に回動中心を有しており、同じ方向に開閉するように構成されている。  
より具体的には、第２上面カバー４は、前記第１の方向（Ｘ軸方向）において第１上面カバー３の両側に、腕部２０ａ、腕部２０ｂを有し、腕部２０ａ、腕部２０ｂを介して装置本体２に対して回動可能に連結されている。  
そして、腕部２０ａ、腕部２０ｂの間に第１上面カバー３が設けられ、第２上面カバー４と同様に装置本体２に対して回動可能に連結されている。
【００４０】
本実施例においては、図４に示すように、装置後方側（−Ｙ側）において、第１上面カバー３の回動中心２１と第２上面カバー４の回動中心２２とが、ほぼ同一線上に設けられている。  
第１上面カバー３及び第２上面カバー４のそれぞれの回動中心２１、回動中心２２が装置後方側にあり、第１上面カバー３及び第２上面カバー４が同じ方向に開閉することにより、省スペースで第１上面カバー３及び第２上面カバー４の両方を開いた状態（図２）にすることができる。また、第２上面カバー４が腕部２０ａ、腕部２０ｂを介して装置本体２に対して連結され、その内側に第１上面カバー３が設けられているので、見栄えの良い外観とすることができる。また本実施例では、閉じた状態の第１上面カバー３及び第２上面カバー４が、平面視において、装置本体２の上部８とほぼ同じ形状及び大きさに形成されていることによって、よりすっきりとした見栄えになっている。  
尚、第１上面カバー３の回動中心２１と第２上面カバー４の回動中心２２は、完全の同一線上にする必要はなく、Ｙ軸方向或いはＺ軸方向に少しずらして配置することもできる。
【００４１】
また、第１上面カバー３及び第２上面カバー４は、図２に示すように、第２上面カバー４を開いたときに第１上面カバー３も一緒に開く様になっている。  
具体的には、第１上面カバー３は第２上面カバー４と係合する「係合部」としてのリブ２３（図７及び図８）を有し、第２上面カバー４を開くと第１上面カバー３も開く様に構成されている。
【００４２】
更に詳細に説明すると、第１上面カバー３のリブ２３は、図７及び図８に示すように、第１上面カバー３の支持面３ｂの周囲に立設している。第２上面カバー４には、第２上面カバー４の上面４ａよりも凹んだ段差部２４（図７及び図８）が設けられている。  
第１上面カバー３を第２上面カバー４に対して閉じた状態（図１及び図２）において、リブ２３は段差部２４に係合し、第２上面カバー４の上面４ａと、第１上面カバー３の上面３ａ（支持面３ｂの裏面）が面一になる。  
第２上面カバー４を開くと、リブ２３が段差部２４に支持されたまま、第１上面カバー３は第２上面カバー４と共に開かれる（図２）。
【００４３】
尚、本実施例では、第１上面カバー３を閉じた状態にロックする第１のロック手段２６（図１４）が設けられている。  
第１のロック手段２６は、図１４に示すように、第１上面カバー３のヒンジ部２５（図７及び図８も参照）に設けられる突起部２７と、装置本体２に設けられる板バネ部２８とを備えて構成されている。板バネ部２８は凸部２８ａを備え、支点部２８ｂを支点として凸部２８ａが上下する方向に弾性変形可能になっている。  
図１４では、閉じた状態の第１上面カバー３を実線で示し、開いた状態の第１上面カバー３を点線で示している。
【００４４】
第１上面カバー３が第２上面カバー４に対して開いた状態（図１４における点線の第１上面カバー３、以下、開状態という）において、突起部２７は、板バネ部２８は凸部２８ａよりも＋Ｙ側に位置する。第１上面カバー３を第２上面カバー４に対して閉じると、すなわち、第１上面カバー３が回動中心２１を軸として図１４を平面視して反時計回りに回動すると、突起部２７も回動中心２１を軸として前記反時計回りに回動する。このとき、突起部２７は板バネ部２８を押し下げつつ凸部２８ａを越えて、第１上面カバー３が第２上面カバー４に対して閉じた状態（図１４における実線の第１上面カバー３、以下、閉状態という）では、突起部２７が凸部２８ａよりも−Ｙ側に位置する。  
このように第１上面カバー３が閉状態になると、板バネ部２８の凸部２８ａが、第２上面カバー４が開く方向への突起部２７の回動を規制するので、これにより第１上面カバー３が装置本体２にロックされる。  
第１上面カバー３が装置本体２に対してロックされた状態では、第１上面カバー３と係合する第２上面カバー４も装置本体２に対して閉状態に保持される。したがって、例えばプリンター１を持ち運ぶ際に傾けられたり、上下が逆向きにされたりした場合に、第１上面カバー３及び第２上面カバー４が不用意に開かないようにすることができる。  
尚、より確実に第２上面カバー４を装置本体２に対してロックする為に、第２上面カバー４を装置本体２に対してロックする専用のロック手段である第２のロック手段３６（図６及び図１５）が設けられているが、これについては後に説明する。
【００４５】
また、第１上面カバー３は、第１のロック手段２６のロック状態を解除して、第２上面カバー４が閉じた状態で独立して開閉可能に構成されている。したがって、前記セット口７を使用する際、すなわち、プリンター１の使用時に、第１上面カバー３のみを開くことができる。
【００４６】
第１のロック手段２６のロック状態を解除する場合には、例えば、第１上面カバー３に対して開く方向（図１４を平面視して、第１上面カバー３を回動中心２１を軸として時計回りに回動させる）に外力を加えることにより行うことができる。これにより、前記閉状態において凸部２８ａの−Ｙ側に位置する突起部２７が、第１上面カバー３の回動に伴って板バネ部２８を押し下げつつ凸部２８ａを越えて、＋Ｙ側の位置まで回動し、第１のロック手段２６のロック状態が解除される。
【００４７】
また、本実施例においては、第１上面カバー３における第２上面カバー４に対する係合部（リブ２３）は第２上面カバー４にロックされていないが、第１上面カバー３のリブ２３を第２上面カバー４に対してロックするロック手段を別途設けることもできる。  
尚、第１上面カバー３が第２上面カバー４に対してロックされていない本実施例では、第１上面カバー３と第２上面カバー４の両方が閉じた状態から、手で第２上面カバー４を持って開くと、第２上面カバー４の開き角度が９０°より大きくなった際に、重力により第１上面カバー３のリブ２３が第２上面カバー４の段差部２４から離れて先に第１上面カバー３だけが全開状態となる場合がある。しかし、第２上面カバー４も全開状態まで開けば、再び第１上面カバー３のリブ２３と第２上面カバー４の段差部２４が接触して係合し、第１上面カバー３の上面３ａと第２上面カバー４の上面４ａが面一の状態にすることができる。  
また、第２上面カバー４を手で持って閉じると、第１上面カバー３は全開状態のまま残って第２上面カバー４のみが閉じられる。
【００４８】
プリンター１が、以上のように構成された第１上面カバー３及び第２上面カバー４を備えることにより、以下の作用効果が得られる。すなわち、プリンター１の非使用時には、第１上面カバー３および第２上面カバー４の双方を閉じて装置本体２の上部８の全体を覆うことができるとともに、プリンター１の使用時（記録を行う際）には、図３のように第１上面カバー３だけを開いて、装置本体２の上部８のうちセット口７を含む領域８ａを露呈させることができる。つまり、プリンター１の使用時に、装置本体２の上部８の一部のみを露呈させるので、当該使用時における装置本体２内部への塵埃等の侵入を抑制することができる。
【００４９】
また、本実施例においては、第１上面カバー３によって開閉される領域８ａに、パネルユニット９が設けられおり、第１上面カバー３を開くことによりパネルユニット９がセット口７とともに現れる。したがって、記録を実行する際の設定等も第１上面カバー３のみを開いた状態で行うことができる。
【００５０】
また、装置本体２の上部８には開口部３０が設けられており、第２上面カバー４を開くと開口部３０から装置本体２内が見えて、記録ヘッド１０を備えるキャリッジ１１の移動領域が現れる様になっている。
【００５１】
従来のように、一つの開閉体（上面カバー）によってセット口７を含む装置本体２の上部８の全体を開閉する構成では、プリンター１の使用時（記録時）に装置本体２の上部８の全体が露呈した状態となるので、キャリッジ１１の移動領域を開放する開口部３０を他の開閉カバーによって覆う必要があった。尚、キャリッジ１１の移動領域は、例えばキャリッジ１１に搭載されるインクタンクの交換等のメンテナンスを行う際に開放される。  
本発明に係るプリンター１は、その使用時には第１上面カバー３を開くだけでセット口７とパネルユニット９が現れ、第２上面カバー４は開く必要がない。したがって、開放した際にキャリッジ１１の移動領域が現れる開口部３０を第２上面カバー４によって開閉するように構成することにより、部品点数の削減を図ることができる。
【００５２】
続いて、プリンター１において、装置本体２内部への塵埃等の侵入を抑制するための他の構成について説明する。  
まず、第１上面カバー３のリブ２３は、装置高さ方向（Ｚ軸方向）において少なくとも一部が第２上面カバー４とオーバーラップするように構成されている。
【００５３】
より具体的には、第１上面カバー３を第２上面カバー４に対して閉じた状態（図１及び図２）において、第１上面カバー３の支持面３ｂの周囲に立設したリブ２３（図７及び図８）が、第２上面カバー４の上面４ａよりも凹んだ状態で設けられる段差部２４の壁部２４ａ（図７及び図８）と装置高さ方向においてオーバーラップしている。  
第１上面カバー３のリブ２３と、第２上面カバー４に設けられる段差部２４の壁部２４ａとが装置高さ方向において重なることにより、開閉する第１上面カバー３と第２上面カバー４との間から塵埃や液滴等が侵入することを抑制できる。
【００５４】
また、装置本体２の上部８には、閉じた第２上面カバー４と装置本体２との隙間を塞ぐ本体側リブ３５（図５、図６を参照）を設けることができる。本実施例においては、図５に示すように、装置本体２の上部８のうち、第１上面カバー３によって開閉さえる領域８ａの端、すなわち、領域８ａにおける領域８ｂとの境の近傍であって、パネルユニット９の＋Ｘ側の位置に本体側リブ３５が設けられている。本体側リブ３５により、閉じた第２上面カバー４と装置本体２との間から塵埃または液滴等の侵入の虞を低減できる。  
本体側リブ３５を設ける位置は図５の位置に限らず、例えば図５における領域８ａの短辺に沿う様に設けることもできる。
【００５５】
また、第２上面カバー４は、閉じた際に開口部３０の周囲に対向する位置にカバー側壁部３４ａ、３４ｂ、３４ｃ、３４ｄ（それぞれ図６を参照）を備えている。  
第２上面カバー４のカバー側壁部３４ａ、３４ｂ、３４ｃ、３４ｄは、装置高さ方向において少なくとも一部が装置本体２とオーバーラップするように構成されている。  
より具体的には、装置本体２は、開口部３０の周囲に本体側壁部３２ａ、３２ｂ、３２ｃ、３２ｄを備え、第２上面カバー４が閉じた状態において、第２上面カバー４に設けられたカバー側壁部３４ａ、３４ｂ、３４ｃ、３４ｄと、装置本体２に設けられた本体側壁部３２ａ、３２ｂ、３２ｃ、３２ｄとが、装置高さ方向において重なるようになっている。  
図４における、カバー側壁部３４ａと本体側壁部３２ａ、及びカバー側壁部３４ｄと本体側壁部３２ｄのように、第２上面カバー４側と装置本体２側とが高さ方向において重なる部分が開口部３０の周囲に設けられていることにより、開口部３０の周囲から装置本体２内部へ塵埃或いは液滴等が侵入する虞を低減することができる。
【００５６】
＜プリンターの他の構成＞
◆◆第２上面カバーを装置本体にロックするロック手段について◆◆
本実施形態のプリンター１には、第２上面カバー４を装置本体２に対してロックする第２のロック手段３６（図６及び図１５）が設けられている。  
第２のロック手段３６は、図６及び図１５に示すように、第２上面カバー４の装置前面側にあるカバー側壁部３４ａに設けられる係合凸部３７ａ及び係合凹部３８ａと、第２上面カバー４を閉じた際にカバー側壁部３４ａと高さ方向においてオーバーラップする本体側壁部３２ａに設けられる係合凸部３７ｂ及び係合凹部３８ｂと、を備えている。
【００５７】
カバー側壁部３４ａにおいて係合凸部３７ａ及び係合凹部３８ａは、図６に示すように、装置幅方向（Ｘ軸方向）の両側に設けられて対を成している。同様に、本体側壁部３２ａにおいて係合凸部３７ｂ及び係合凹部３８ｂも、装置幅方向（Ｘ軸方向）の両側に設けられて対を成している（図６）。
【００５８】
そして、図１５に示すように、第２上面カバー４が装置本体２に対して閉じた状態において、カバー側壁部３４ａの係合凸部３７ａと、本体側壁部３２ａの係合凹部３８ｂとが係合し、カバー側壁部３４ａの係合凹部３８ａと、本体側壁部３２ａの係合凸部３７ｂとが係合する。これにより、閉じた第２上面カバー４が装置本体２に対してロックされる。
【００５９】
◆◆第２上面カバーについて◆◆
本実施形態において、プリンター１を持ち運ぶ際に把持する持ち手としてのハンドル６は、図９に示すように、装置幅方向に延びる把持部４０と、把持部４０の両端に設けられる延設部４１ａ、延設部４１ｂと、を備えている。ハンドル６は、図１及び図３のように把持部４０（図１及び図３においては見えていない）が背面側になる位置から、図１０のように把持部４０が前面側になる位置まで回動可能になっている。プリンター１の使用時には、通常、ハンドル６は図３の状態にされる。ハンドル６を持つ場合には、ハンドル６は、図９のように把持部４０がプリンター１の天面（＋Ｚ側の面）のほぼ直上に位置する状態にされる。  
ここで、本実施例において、ハンドル６は、装置本体２に対して着脱可能に構成されている。
【００６０】
ハンドル６（図１１）は、延設部４１ａ、延設部４１ｂのそれぞれの端部に取付部４２ａ、取付部４２ｂを備えている。そして、ハンドル６の取付部４２ａ、取付部４２ｂが、装置本体２のＸ軸方向の＋Ｘ側面に設けられる穴部４３ａ（図１２）と、−Ｘ側面に設けられる穴部４３ｂ（図１３）のそれぞれに係合することにより、ハンドル６が装置本体２に一体に取り付けられる様になっている。
【００６１】
取付部４２ａと取付部４２ｂは、どちらもＸ軸方向に沿って見た形状が非対称に形成されている（取付部４２ａについては図１２を、取付部４２ｂについては図１３を参照）。また、取付部４２ａと取付部４２ｂとでは、Ｘ軸方向に沿って見た形状が異なる形状に形成されている。  
本実施例において取付部４２ａは、図１２に示すように、Ｘ軸方向に平面視した形状が、円形状に２つの凸部（第１凸部４４及び第２凸部４５）を備える形状をしている。また、取付部４２ｂは、図１３に示すように、Ｘ軸方向に平面視した形状が、円形状に１つの凸部４６を備える形状をしている。
【００６２】
取付部４２ａを挿入する穴部４３ａ（図１２）は取付部４２ａの形状に対応する形状をしており、取付部４２ｂを挿入する穴部４３ｂ（図１３）は取付部４２ｂの形状に対応する形状をしている。  
ハンドル６の装置本体２への着脱は、ハンドル６を図１０の状態にして行われる。  
ハンドル６の取付部４２ａ及び取付部４２ｂは、把持部４０が装置前面側に位置する状態（図１０）において、図１２及び図１３において実線で示すように、穴部４３ａ及び穴部４３ｂに挿抜可能な向きになる。そして、ハンドル６を図１０の状態から、把持部４０が背面側に移動する方向に回動させると、取付部４２ａ及び取付部４２ｂは、図１２及び図１３において点線で示すように回動し、穴部４３ａ及び穴部４３ｂから抜けない向きになる。
【００６３】
このように、装置本体２に対するハンドル６の着脱は、把持部４０が装置前面側に位置する状態（図１０）で行う様に構成されているので、ハンドル６を持って持ち運ぶ際（図９の状態）や、プリンター１を使用する際（図３の状態）に、ハンドル６が装置本体２に確実に取り付けられた状態とすることができる。  
また、＋Ｘ側の取付部４２ａと−Ｘ側の取付部４２ｂがそれぞれ異なる形状をしていることにより、ハンドル６の取り付け方向を明確にすることができる。
【００６４】
尚、プリンター１は、ハンドル６を装置本体２から取り外した状態で用いることもできる。その際には、装置本体２の＋Ｘ側面及び−Ｘ側面に設けられた穴部４３ａ（図１２）及び穴部４３ｂ（図１３）は、それぞれ不図示のキャップにより覆って塞ぐことができる。  
また、プリンター１には、前記キャップを収納するためのキャップ収納用凹部５０（図２及び図５）を設けることができる。本実施例において、キャップ収納用凹部５０は、装置本体２の上部８のうち、第２上面カバー４によって開閉される領域８ｂに設けられている。
【００６５】
穴部４３ａ及び穴部４３ｂを塞ぐための前記キャップは、ハンドル６を装置本体２に取り付ける際には取り外される。取り外された２つのキャップをキャップ収納用凹部５０に収納することができるので、前記キャップを紛失する虞が低減する。  
また、キャップ収納用凹部５０は、装置本体２の上部８において、第２上面カバー４によって開閉される領域８ｂに設けられているので、キャップ収納用凹部５０に収納されたキャップの紛失の虞がより少なくなる上、通常はキャップ収納用凹部５０が外観に露呈することがなく見栄えもよい。
【００６６】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００６７】
１…プリンター（記録装置）、２…装置本体、３…第１上面カバー（第１開閉体）、
４…第２上面カバー（第２開閉体）、５…排紙カバー、６…ハンドル、
７…セット口、８…上部、９…パネルユニット、１０…記録ヘッド（記録手段）、
１１…キャリッジ、１２…液体収納体、１４…給紙ローラー、
１５…搬送ローラー対、１５ａ…搬送駆動ローラー、１５ｂ…搬送従動ローラー、
１６…支持部材、１７…排出ローラー対、１７ａ…排出駆動ローラー、
１７ｂ…排出従動ローラー、１８…排出部、
２０ａ、２０ｂ…腕部、２１…回動中心、２２…回動中心、
２３…リブ（係合部）、２４…段差部、２４ａ…壁部、２５…ヒンジ部、
２６…第１のロック手段、２７…突起部、２８…板バネ部、
３０…開口部、３２ａ、３２ｂ、３２ｃ、３２ｄ…本体側壁部、
３４ａ、３４ｂ、３４ｃ、３４ｄ…カバー側壁部、３５…本体側リブ、
３６…第２のロック手段、３７ａ…係合凸部、３７ｂ…係合凸部、
３８ａ…係合凹部、３８ｂ…係合凹部、４０…把持部、４１ａ、４１ｂ…延設部、
４２ａ、４２ｂ…取付部、４３ａ、４３ｂ…穴部、４４…第１凸部、
４５…第２凸部、４６…凸部、５０…キャップ収納用凹部
【図１】
2018052073.tif 000003
【図２】
2018052073.tif 000004
【図３】
2018052073.tif 000005
【図４】
2018052073.tif 000006
【図５】
2018052073.tif 000007
【図６】
2018052073.tif 000008
【図７】
2018052073.tif 000009
【図８】
2018052073.tif 000010
【図９】
2018052073.tif 000011
【図１０】
2018052073.tif 000012
【図１１】
2018052073.tif 000013
【図１２】
2018052073.tif 000014
【図１３】
2018052073.tif 000015
【図１４】
2018052073.tif 000016
【図１５】
2018052073.tif 000017